(57)【要約】      （修正有）【課題】煩雑な作業を行うことなく、地盤が軟弱な園芸地等に細い園芸用支柱を１本単独で設置してもぐらつかず安定した支柱を得られる、園芸用支柱を固定するための柱材及び園芸用支柱の固定具を提供する。【解決手段】中心部に支柱用の貫通孔３を備えた、高分子発泡体からなる柱材１をコンクリートブロック５の空隙部６に挿入充填し、その柱材１の貫通孔３に園芸用支柱４を貫通させ地中に突き刺す。こうすることにより支柱１、コンクリートブロック５、地面が一体となって固定され園芸用支柱４がぐらつかずに安定する。本考案の柱材１は高分子発泡体のため非常に軽量であるため作業性がよい。【選択図】図４
0003207902.tif 000002
【実用新案登録請求の範囲】
【請求項１】
コンクリートブロックの空隙部に挿入する、園芸用支柱を固定するための柱材であって、
前記柱材は高分子発泡材からなり、
前記柱材は略矩形の断面形状を有し、
前記柱材は前記園芸用支柱を貫通させるための貫通孔を備える、
前記園芸用支柱を固定するための柱材。
【請求項２】
前記柱材は側面の周辺に切り込み部を有する
請求項１記載の柱材。
【請求項３】
前記略矩形の長辺は７０〜１００ｍｍであり、短辺は４０〜８０ｍｍである
請求項１もしくは２記載の柱材。
【請求項４】
前記貫通口の断面は円形状であり、前記円形状の直径は５〜２３ｍｍである
請求項１〜３のいずれか１項に記載の柱材。
【請求項５】
請求項１〜４のいずれか１項に記載の柱材をコンクリートブロックの空隙部に挿入してなる園芸用支柱の固定具。
【考案の詳細な説明】
【技術分野】
【０００１】
本考案は園芸用支柱を、簡単に固定安定化が出来る柱材に関する。
【背景技術】
【０００２】
従来、地盤が軟弱な園芸地等に園芸用支柱を１本単独で設置する場合，先の尖った支柱を力で土中に差し込むだけであった為、非常に不安定で倒れやすかった。そのため例えば特許文献１では園芸用支柱安定装置、及び安定装置付園芸用支柱が提案されている。
【先行技術文献】
【特許文献】
【０００３】
【特許文献１】特開平１０−４７９９号  公報
【考案の概要】
【考案が解決しようとする課題】
【０００４】
しかし、この園芸用支柱安定装置、及び安定装置付園芸用支柱は、土を掘って装置自体を埋め込み、踏み固めるという煩雑な作業が必要になる。
本考案の目的は、煩雑な作業を行うことなく、地盤が軟弱な園芸地等に細い園芸用支柱を１本単独で設置してもぐらつかず安定した支柱を得られるようにすることである。
【課題を解決するための手段】
【０００５】
本考案は、コンクリートブロックの空隙部に挿入する、園芸用支柱を固定するための柱材であって、柱材は高分子発泡材からなり、柱材は略矩形の断面形状を有し、柱材は園芸用支柱を貫通させるための貫通孔を備える、園芸用支柱を固定するためのものである。
【０００６】
本考案の柱材は、側面の周辺に切り込み部を有することが好ましい。
【０００７】
本考案の柱材の略矩形の長辺は７０〜１００ｍｍであり、短辺は４０〜８０ｍｍであることが好ましい。
【０００８】
本考案の柱材の貫通孔の断面は円形状であり、円形状の直径は５〜２３ｍｍであることが好ましい。
【０００９】
本考案は、上記の柱材をコンクリートブロックの空隙部に挿入してなる園芸用支柱の固定具である。
【考案の効果】
【００１０】
本考案の柱材をコンクリートブロックの空隙部に挿入することにより、空隙部と園芸用支柱との隙間が埋まり支柱の横揺れが無くなり、かつその支柱を地中まで貫通させることで、支柱、コンクリートブロック、地面とが一体となり、コンクリートブロックの重みと相俟って支柱が安定する。園芸用支柱１本で安定させる場合、この方法は、設置に穴を掘ったり、踏み固めたりしなくても非常に簡単に安定化を実現できる。
【図面の簡単な説明】
【００１１】
【図１】本考案に係る柱材の正面図
【図２】本考案に係る柱材の斜視図
【図３】本考案に係る柱材の平面図
【図４】本考案に係る柱材をコンクリートブロックに使用した状態を示す断面図
【図５】本考案に係る柱材をコンクリートブロックに使用した状態を示す平面図
【図６】市販の代表的なサイズのコンクリートブロックの平面図,及びサイズ表
【図７】市販の園芸用支柱の側面図、及び平面図、及びサイズ表
【図８】コンクリートブロック一段で本考案の柱材を用いた園芸用外構の外観図
【図９】コンクリートブロック二段積みで本考案の柱材を用いた園芸用外構の外観図
【図１０】本考案の柱材を利用して、プランターに植えた植栽の周辺に防虫ネットを張ったときの外観図
【図１１】本考案の柱材を利用して、園芸用の掲示板やその他の臨時の案内板を設けたときの外観図
【考案を実施するための形態】
【００１２】
以下、本考案の実施の形態を図１〜図１１に基づいて説明する。
【００１３】
本考案の構成について、図１〜図１１を用いて以下に説明する。
図１の柱材１は高分子発泡材から成る。高分子発泡材としてはポリエチレンフォーム、ポリスチレンフォーム、ポリウレタンフォームなどの高分子化合物を発泡させた材料を用いることが出来る。
【００１４】
本考案の柱材１は高分子発泡材の塊から図１、図２、図３に示されるような六面体の形状をした柱材１を切り出して作ることが出来る。勿論、成型用の金型を作って成型加工も出来る。本考案を実施した例では、柱材１の断面は長辺７９ｍｍ，短辺は５０ｍｍの略矩形にした。
【００１５】
図１で示すように柱材１の周辺に、底辺から１９０ｍｍごとに１０ｍｍ程度の切り込み部２を設けた。この１９０ｍｍごとに切り込み部２を設ける理由は、市販されているコンクリートブロックの高さが全部１９０ｍｍなので柱材１をカットして使う時に便利だからである。
【００１６】
次に柱材１の中央部にドリルで直径約１６ｍｍの円形状の貫通孔３をあけた。
【００１７】
図６は市販されている代表的な３種類のコンクリートブロックＡ，Ｂ，Ｃの平面図とそのサイズ表である。代表的なコンクリートブロックＡ，Ｂ，Ｃの高さは全部１９０ｍｍ、長さは３９０ｍｍで、厚さのみ異なる。本考案の柱材１は、図６の中のコンクリートブロックＡ（長さ３９０ｍｍ、高さ１９０ｍｍ、厚さ１００ｍｍ）に適用できる形状のものである。
【００１８】
図７は市販されている園芸用支柱４の側面図と平面図とそのサイズ表であり、今回その中の直径１６ｍｍの園芸用支柱４を使った。
【００１９】
図４、図５で示すように、最も一般的なサイズの長さ３９０ｍｍ、高さ１９０ｍｍ、厚さ１００ｍｍ（図６のＡ）のコンクリートブロック５を使って、その３箇所ある空隙部の中央の空隙部６、（長辺７９ｍｍ、短辺５０ｍｍ）に本考案の柱材１を挿入充填した。
【００２０】
そしてその挿入した柱材１の貫通孔３に、園芸用支柱４（図７の直径１６ｍｍ）を貫通させ地中に突き刺した。これだけで園芸用支柱は安定した。
【００２１】
図６に示すように、コンクリートブロック５の空隙部６の短辺寸法は、最も小さいコンクリートブロックＡで４５ｍｍであり、最も大きいコンクリートブロックＣで７０ｍｍであった。従って、挿入する柱材１の短辺は、その伸縮性等を考慮して、４０ｍｍから８０ｍｍが好ましい。
【００２２】
また同じく図６に示すように、コンクリートブロック５の空隙部６の長辺は、最も小さいコンクリートブロックＡで７５ｍｍであり、最も大きいコンクリートブロックＣで９３ｍｍであった。従って、挿入する柱材１の長辺は、その伸縮性等を考慮して、７０ｍｍから１００ｍｍが好ましい。
【００２３】
園芸用支柱４については、図７に示すようにその直径の寸法は、最も細いもので８ｍｍ、最も太いもので２０ｍｍであった。従って柱材１に挿入する園芸用支柱４はその伸縮性等を考慮して、５ｍｍから２３ｍｍが好ましい。
【００２４】
次に、本考案の柱材１の利用の一例について、図８〜図１１を用いて説明する。
【００２５】
まず、図８はコンクリートブロック５を一段で並べて連結したものである。その各々のコンクリートブロック５の中央の空隙部６に本考案の柱材１を挿入し、挿入した柱材１の貫通孔３に園芸用支柱４を貫通させ地中に突き刺して園芸用支柱４を安定させた状態を示している。これで園芸用支柱４がコンクリートブロック５の空隙部６の中でぐらつかず、園芸用支柱４、コンクリートブロック５、地面が一体化され、かつコンクリートブロック５の重みと相俟って支柱４が安定する。それと同時に連結されたコンクリートブロック５が繋がった状態で安定する。これで少し浅めの園芸用外構が簡単に出来る。
【００２６】
コンクリートブロック５を連結させる時、その繋ぎ目にも柱材１を挿入すればより強固に繋がる。
【００２７】
次に図９はコンクリートブロック５を二段に積み、並べて連結したものである。まずコンクリートブロック５をニ段に積み、そのコンクリートブロック５の中央の空隙部６に柱材１を挿入し、挿入した柱材１の貫通孔６に園芸用支柱４を貫通させ地中にしっかりと突き刺す。これで園芸用支柱４はしっかりと安定する。ニ段に積んでも柱材１が上下のコンクリートブロック５両方に充填され一体化された状態で園芸用支柱４が地中まで貫通しており、上下のコンクリートブロック５はぐらつかずに安定する。同じようにしてコンクリートブロック５を横に繋いでいけば、図８のものより少し深い園芸用外構が簡単に出来る。
【００２８】
コンクリートブロック５を二段にして連結していく場合は、コンクリートブロック５とコンクリートブロック５の繋ぎ目には柱材１を挿入した方がより全体が安定する。
【００２９】
次に図１０のように、植採用のプランターに防虫ネットを掛ける場合に柱材１を使って、簡単にネット用の支柱を設置出来る。
【００３０】
必要な位置に必要な数のコンクリートブロック５を置き、そのコンクリートブロック５の中央の空隙部６に柱材１を挿入しその柱材１の貫通孔３に園芸用支柱４を挿入し地中にしっかりと突き刺す。こうして出来た安定した園芸用支柱４どうしを連結すれば、プランターの数に応じた防虫ネット掛けが簡単に出来、かつまた簡単に撤去できる。
【００３１】
図１１は園芸用掲示板や、その他の臨時の案内板、誘導旗等を設置する場合も柱材１を使えば簡単に設置出来かつ簡単に撤去できる。特に地盤が舗装されている場合にはこれを立てるための専用のポールと、台が必要だが、柱材１と園芸用支柱４とコンクリートブロック５を利用すれば簡単に、かつ安価で設置出来る。
【００３２】
柱材１をコンクリートブロック５の中央の空隙部６に挿入し、柱材１の貫通孔３に園芸用支柱４を貫通させ、土の地面なら地中まで突き刺し、舗装面ならコンクリートブロック５の底まで挿入充填する。
簡単な掲示板や、案内用の旗等ならば軽量なので、舗装した地盤でもコンクリートブロック５の重みだけで安定する。もちろん土の地面でも安定して設置出来る。
【００３３】
以上の構成及び作用に基づいて、本考案の効果を以下に説明する。
【００３４】
本考案の柱材１を使って園芸用支柱４を安定させる方法では、土を掘ったり踏み固める必要がない。
【００３５】
本考案の柱材１は高分子発泡材で出来ているので、非常に軽く持ち運びが簡単で保管もし易い。
本考案の柱材１は高分子発泡材で出来ているので、腐食せず、耐水性に優れ、また耐候性も高いので、長持ちする。
【００３６】
本考案の柱材１は高分子発泡材で出来ているので、柔らかく弾力性があり、コンクリートブロック５と園芸用支柱４との密着性がよい。またカッター等で簡単に適当なサイズに加工出来る。従ってコンクリートブロック５の空隙部６に挿入する場合もコンクリートブロック５を繋いで園芸用外構を造るときも柱材１を適当にカットしても利用できる。
【００３７】
本考案の柱材１は高分子発泡材で出来ているので、比較的安価である。
【００３８】
本考案の柱材１は略矩形の断面形状なのでコンクリートブロックの空隙部に挿入しやすく特別な冶具を使わなくても手だけで簡単に挿入出来る。
【００３９】
本考案の柱材１は１９０ｍｍごとに切り込み部があるので、コンクリートブロックの設置の状況（一段又は二段）に合わせてカットする際、目安となり便利である。（市販のコンクリートブロックは全部高さが１９０ｍｍである）
【００４０】
本考案の柱材１と、コンクリートブロック５を使って簡単に任意の広さ、深さの園芸用外構ができる。また、この園芸用外構は不要になれば簡単に撤去出来、また移動も非常に簡単である。
【００４１】
本考案の柱材１には、市販の園芸用支柱４を突き刺すための貫通孔３を複数個設けることも出来る。そうすれば太さの違う園芸用支柱４にも１個の柱材で対応出来て非常に便利である。
【符号の説明】
【００４２】
１  柱材
２  切込み部
３  貫通孔
４  園芸用支柱
５  コンクリートブロック
６  空隙部
【図１】
0003207902.tif 000003
【図２】
0003207902.tif 000004
【図３】
0003207902.tif 000005
【図４】
0003207902.tif 000006
【図５】
0003207902.tif 000007
【図６】
0003207902.tif 000008
【図７】
0003207902.tif 000009
【図８】
0003207902.tif 000010
【図９】
0003207902.tif 000011
【図１０】
0003207902.tif 000012
【図１１】
0003207902.tif 000013